(57)【特許請求の範囲】
【請求項１】
少なくとも浴槽に設けた吸入口と吐出口との間を結ぶ追い焚き流路と給水を通すための給湯流路とが共通の熱交換器を経由するとともに前記浴槽内の水を浄化するためのろ過槽を備えたろ過機能付き一缶多水路型給湯機において、
前記熱交換器の出側で前記給湯流路から分岐し前記熱交換器の出側の所定箇所で前記追い焚き流路に合流する連絡路と、前記連絡路の途中に設けられ前記給湯流路内の湯を前記追い焚き流路側へ流すか否かを切り替える第１の切替弁と、前記浴槽内の水を前記吸入口から取り入れ前記追い焚き流路を通じて前記吐出口へ送り出す循環ポンプと、前記追い焚き流路を閉塞するか否かを切り替える第２の切替弁と、前記第１および第２の切替弁の開閉を制御する弁制御手段とを備え、
前記第２の切替弁を、前記追い焚き流路の途中であって前記連絡路の合流する箇所よりも前記吸入口側に配置し、
前記ろ過槽を、前記循環ポンプによって前記吸入口から前記吐出口に向けて流す水が当該ろ過槽を順方向に通過するように前記追い焚き流路の途中に配置するとともに、その配置箇所を少なくとも前記連絡路の合流する箇所よりも前記吸入口側に設定し、
前記弁制御手段は、前記給湯流路を通じて加熱した湯を前記浴槽へ注湯する際に前記第１の切替弁を開きかつ前記第２の切替弁を閉じることを特徴とするろ過機能付き一缶多水路型給湯機。
【請求項２】
少なくとも浴槽に設けた吸入口と吐出口との間を結ぶ追い焚き流路と給水を通すための給湯流路とが共通の熱交換器を経由するとともに前記浴槽内の水を浄化するためのろ過槽を備えたろ過機能付き一缶多水路型給湯機において、
前記熱交換器の出側で前記給湯流路から分岐し前記熱交換器の出側の所定箇所で前記追い焚き流路に合流する連絡路と、前記連絡路の途中に設けられ前記給湯流路内の湯を前記追い焚き流路側へ流すか否かを切り替える第１の切替弁と、前記浴槽内の水を前記吸入口から取り入れ前記追い焚き流路を通じて前記吐出口へ送り出す循環ポンプと、前記追い焚き流路を閉塞するか否かを切り替える第２の切替弁と、前記第１および第２の切替弁の開閉を制御する弁制御手段とを備え、前記第２の切替弁を、前記追い焚き流路の途中であって前記連絡路の合流する箇所よりも前記吸入口側に配置し、
前記ろ過槽を、前記循環ポンプによって前記吸入口から前記吐出口に向けて流す水が当該ろ過槽を順方向に通過するように前記追い焚き流路の途中に配置するとともに、その配置箇所を少なくとも前記第２の切替弁よりも前記吸入口側に設定し、
前記弁制御手段は、前記給湯流路を通じて加熱した湯を前記浴槽へ注湯する際に前記第１の切替弁を開きかつ前記第２の切替弁を閉じることを特徴とするろ過機能付き一缶多水路型給湯機。
【請求項３】
前記第２の切替弁および前記ろ過槽を前記追い焚き流路の途中であって前記熱交換器の入側と前記吸入口との間に配置したことを特徴とする請求項１または２記載のろ過機能付き一缶多水路型給湯機。
【請求項４】
少なくとも浴槽に設けた吸入口と吐出口との間を結ぶ追い焚き流路と給水を通すための給湯流路とが共通の熱交換器を経由するとともに前記浴槽内の水を浄化するためのろ過槽を備えたろ過機能付き一缶多水路型給湯機において、
前記熱交換器の出側で前記給湯流路から分岐し前記熱交換器の出側の所定箇所で前記追い焚き流路に合流する連絡路と、前記連絡路の途中に設けられ前記給湯流路内の湯を前記追い焚き流路側へ流すか否かを切り替える切替弁と、前記浴槽内の水を前記吸入口から取り入れ前記追い焚き流路を通じて前記吐出口へ送り出す循環ポンプと、前記追い焚き流路の途中に配置され第１から第３の接続口を有する三方弁と、前記追い焚き流路の途中に配置され第４から第８の接続口を有する五方弁と、前記切替弁と前記三方弁と前記五方弁の開閉を制御する弁制御手段とを備え、
前記三方弁は、前記第１の接続口と前記第２の接続口とが連通される第１第２連通状態と、前記第１の接続口と前記第３の接続口とが連通される第１第３連通状態とに切り替わるものであり、
前記五方弁は、前記第４の接続口を前記第５から第８の接続口のうちのいずれかと接続するとともに前記第４の接続口と連通していない残り３つの接続口のうちのいずれか２つ同士を連通させる連通状態と、いずれの接続口同士も連通させずに各接続口を閉鎖する閉鎖状態とに切り替わるものであり、
前記追い焚き流路は、前記浴槽内の吸入口から前記循環ポンプを介して前記五方弁の前記第４の接続口に接続されるとともに前記五方弁の前記第５の接続口から前記三方弁の第１の接続口へと接続され、前記三方弁の第２の接続口から前記熱交換器を経由して前記浴槽の吐出口に通じており、
前記三方弁の第３の接続口は、前記連絡路の合流する前記所定箇所よりも前記吐出口側で前記追い焚き流路から分岐した所定のバイパス管と接続され、
前記五方弁の前記第６の接続口は前記ろ過槽の順方向出側と接続され、
前記五方弁の前記第７の接続口には、所定の排水管が接続され、
前記五方弁の前記第８の接続口は前記ろ過槽の順方向入側と接続され、
前記循環ポンプは、前記吸入口と前記五方弁の前記第４の接続口との間に配置され、
前記弁制御手段は、前記給湯流路を通じて加熱した湯を前記浴槽へ注湯する際に前記切替弁を開くとともに前記三方弁を前記第１第２連通状態に設定しかつ前記五方弁を前記閉鎖状態に設定することを特徴とするろ過機能付き一缶多水路型給湯機。
【請求項５】
前記弁制御手段は、前記循環ポンプを駆動して前記浴槽内の水をろ過する通常ろ過運転を行う際に、前記切替弁を閉じるとともに前記三方弁を前記第１第３連通状態に設定しかつ前記五方弁を前記第４の接続口と前記第８の接続口とが連通し前記第６の接続口と前記第５の接続口とが連通する状態に設定することを特徴とする請求項３記載のろ過機能付き一缶多水路型給湯機。
【請求項６】
前記弁制御手段は、前記循環ポンプを駆動して前記ろ過槽内のろ材を逆流洗浄するろ材逆洗浄運転を行う際に、前記五方弁を前記第４の接続口と前記第６の接続口とが連通し前記第８の接続口と前記第７の接続口とが連通する状態に設定することを特徴とする請求項３記載のろ過機能付き一缶多水路型給湯機。
【請求項７】
前記弁制御手段は、前記循環ポンプを駆動して前記ろ過槽に前記浴槽内の水を順方向に流してろ材を洗浄するろ材洗浄運転を行う際に、前記五方弁を前記第４の接続口と前記第８の接続口とが連通し前記第６の接続口と前記第７の接続口とが連通する状態に設定することを特徴とする請求項３記載のろ過機能付き一缶多水路型給湯機。
【発明の詳細な説明】
【０００１】
【発明の属する技術分野】
本発明は、少なくとも浴槽に設けた吸入口と吐出口との間を結ぶ追い焚き流路と給水を通すための給湯流路とが共通の熱交換器を経由するとともに前記浴槽内の水を浄化するためのろ過槽を備えたろ過機能付き一缶多水路型給湯機に関する。
【０００２】
【従来の技術】
従来、浴槽内の水を循環させて追い焚きを行うための追い焚き流路２０１と給水を通す給湯流路２０２とが１つの熱交換器２０３を通る一缶二水路型給湯機２００は、通常、図５に示すように構成されている。このような給湯機では、給湯流路２０１側で加熱された湯を注湯電磁弁２０４を開くことで、連絡路２０５および追い焚き流路２０１を通じて浴槽に流し込むことが可能になっている。また、配管での圧力損失や湯張り速度を考慮し、連絡管２０５から追い焚き流路２０１側に流れ込んだ湯が２方向に分岐して、２つの経路２０１ａ、２０１ｂを通じて浴槽に落とし込まれるようになっている。
【０００３】
【発明が解決しようとする課題】
ところで、浴槽内の湯をろ過するためのろ過槽を上述した一缶二水路型給湯機に組み込む場合には、通常、図６に示すように構成され、追い焚き流路２０１のうち熱交換器２０３よりも浴槽寄りの箇所にろ過槽２１０が介挿される。この場合、従来のように２経路で注湯すると、追い焚き時と逆方向に湯がろ過槽２１０へ流れるので、ろ材で捕集した汚れ等が浴槽側に流れ込んでしまう。このため、電動五方弁２１１等を閉塞状態にし、湯張りを一方の経路２０１ａだけで行わなければならない。
【０００４】
しかしながら、図６に示したものでは、給湯経路側から追い焚き経路２０１内に流れ込んだ湯が再度、熱交換器２０３を通って浴槽に流れ込むので、浴槽に流れ出た際の温度が注湯時の設定温度になるようにするためには、熱交換器２０３での再加熱を考慮し、その分、給湯経路２０２側での加熱量を少なく制限しなければならない。たとえば、４０℃の湯を浴槽に流し込むためには、給湯側の出口温度（出湯温度）を３０℃等に下げなければならなかった。
【０００５】
このように、給湯側での出湯温度を低く制限してバーナー２０６による加熱量を少なくすると、燃焼排ガス中の水分が結露し易くなり、バーナーの上に滴下して、燃焼状態の悪化や失火を招いたり、各部の腐食が進むという問題が生じる。また、各種のバイパス経路等を設けたり、管内流速を低下させるという対策も考えられるが、部品点数の増加や制御の複雑化を招き、器具の価格が高騰したり、湯張り時間が長くなる等の問題が生じる。
【０００６】
本発明は、このような従来の技術が有する問題点に着目してなされたもので、ろ過槽への逆流と熱交換器での再加熱とを防止しつつ給湯側からの湯を追い焚き流路を通じて浴槽に注湯することのできるろ過機能付き一缶多水路型給湯機を提供することを目的としている。
【０００７】
【課題を解決するための手段】
かかる目的を達成するための本発明の要旨とするところは、次の各項の発明に存する。
［１］少なくとも浴槽（１００）に設けた吸入口（１０１）と吐出口（１０２）との間を結ぶ追い焚き流路（５０）と給水を通すための給湯流路（３０）とが共通の熱交換器（１３）を経由するとともに前記浴槽（１００）内の水を浄化するためのろ過槽（６０）を備えたろ過機能付き一缶多水路型給湯機において、
前記熱交換器（１３）の出側で前記給湯流路（３０）から分岐し前記熱交換器（１３）の出側の所定箇所（５４）で前記追い焚き流路（５０）に合流する連絡路（７０）と、前記連絡路（７０）の途中に設けられ前記給湯流路（３０）内の湯を前記追い焚き流路（５０）側へ流すか否かを切り替える第１の切替弁（７１）と、前記浴槽（１００）内の水を前記吸入口（１０１）から取り入れ前記追い焚き流路（５０）を通じて前記吐出口（１０２）へ送り出す循環ポンプ（７２）と、前記追い焚き流路（５０）を閉塞するか否かを切り替える第２の切替弁（９０）と、前記第１および第２の切替弁（９０）の開閉を制御する弁制御手段（４１）とを備え、
前記第２の切替弁（９０）を、前記追い焚き流路（５０）の途中であって前記連絡路（７０）の合流する箇所（５４）よりも前記吸入口（１０１）側に配置し、
前記ろ過槽（６０）を、前記循環ポンプ（７２）によって前記吸入口（１０１）から前記吐出口（１０２）に向けて流す水が当該ろ過槽（６０）を順方向に通過するように前記追い焚き流路（５０）の途中に配置するとともに、その配置箇所を少なくとも前記連絡路（７０）の合流する箇所（５４）よりも前記吸入口（１０１）側に設定し、
前記弁制御手段（４１）は、前記給湯流路（３０）を通じて加熱した湯を前記浴槽（１００）へ注湯する際に前記第１の切替弁（７１）を開きかつ前記第２の切替弁（９０）を閉じることを特徴とするろ過機能付き一缶多水路型給湯機。
【０００８】
［２］少なくとも浴槽（１００）に設けた吸入口（１０１）と吐出口（１０２）との間を結ぶ追い焚き流路（５０）と給水を通すための給湯流路（３０）とが共通の熱交換器（１３）を経由するとともに前記浴槽（１００）内の水を浄化するためのろ過槽（６０）を備えたろ過機能付き一缶多水路型給湯機において、
前記熱交換器（１３）の出側で前記給湯流路（３０）から分岐し前記熱交換器（１３）の出側の所定箇所（５４）で前記追い焚き流路（５０）に合流する連絡路（７０）と、前記連絡路（７０）の途中に設けられ前記給湯流路（３０）内の湯を前記追い焚き流路（５０）側へ流すか否かを切り替える第１の切替弁（７１）と、前記浴槽（１００）内の水を前記吸入口（１０１）から取り入れ前記追い焚き流路（５０）を通じて前記吐出口（１０２）へ送り出す循環ポンプ（７２）と、前記追い焚き流路（５０）を閉塞するか否かを切り替える第２の切替弁（９０）と、前記第１および第２の切替弁（９０）の開閉を制御する弁制御手段（４１）とを備え、
前記第２の切替弁（９０）を、前記追い焚き流路（５０）の途中であって前記連絡路（７０）の合流する箇所（５４）よりも前記吸入口（１０１）側に配置し、
前記ろ過槽（６０）を、前記循環ポンプ（７２）によって前記吸入口（１０１）から前記吐出口（１０２）に向けて流す水が当該ろ過槽（６０）を順方向に通過するように前記追い焚き流路（５０）の途中に配置するとともに、その配置箇所を少なくとも前記第２の切替弁（９０）よりも前記吸入口（１０１）側に設定し、
前記弁制御手段（４１）は、前記給湯流路（３０）を通じて加熱した湯を前記浴槽（１００）へ注湯する際に前記第１の切替弁（７１）を開きかつ前記第２の切替弁（９０）を閉じることを特徴とするろ過機能付き一缶多水路型給湯機。
【０００９】
［３］前記第２の切替弁（９０）および前記ろ過槽（６０）を前記追い焚き流路（５０）の途中であって前記熱交換器（１３）の入側と前記吸入口（１０１）との間に配置したことを特徴とする［１］または［２］記載のろ過機能付き一缶多水路型給湯機。
【００１０】
［４］少なくとも浴槽（１００）に設けた吸入口（１０１）と吐出口（１０２）との間を結ぶ追い焚き流路（５０）と給水を通すための給湯流路（３０）とが共通の熱交換器（１３）を経由するとともに前記浴槽（１００）内の水を浄化するためのろ過槽（６０）を備えたろ過機能付き一缶多水路型給湯機において、
前記熱交換器（１３）の出側で前記給湯流路（３０）から分岐し前記熱交換器（１３）の出側の所定箇所（５４）で前記追い焚き流路（５０）に合流する連絡路（７０）と、前記連絡路（７０）の途中に設けられ前記給湯流路（３０）内の湯を前記追い焚き流路（５０）側へ流すか否かを切り替える切替弁（７１）と、前記浴槽（１００）内の水を前記吸入口（１０１）から取り入れ前記追い焚き流路（５０）を通じて前記吐出口（１０２）へ送り出す循環ポンプ（７２）と、前記追い焚き流路（５０）の途中に配置され第１から第３の接続口（９１〜９３）を有する三方弁（９０）と、前記追い焚き流路（５０）の途中に配置され第４から第８の接続口（８１〜８５）を有する五方弁（８０）と、前記切替弁（７１）と前記三方弁（９０）と前記五方弁（８０）の開閉を制御する弁制御手段（４１）とを備え、
前記三方弁（９０）は、前記第１の接続口（９１）と前記第２の接続口（９２）とが連通される第１第２連通状態と、前記第１の接続口（９１）と前記第３の接続口（９３）とが連通される第１第３連通状態とに切り替わるものであり、
前記五方弁（８０）は、前記第４の接続口（８１）を前記第５から第８の接続口（８２〜８５）のうちのいずれかと接続するとともに前記第４の接続口（８１）と連通していない残り３つの接続口のうちのいずれか２つ同士を連通させる連通状態と、いずれの接続口同士も連通させずに各接続口（８１〜８５）を閉鎖する閉鎖状態とに切り替わるものであり、
前記追い焚き流路（５０）は、前記浴槽（１００）内の吸入口（１０１）から前記循環ポンプ（７２）を介して前記五方弁（８０）の前記第４の接続口（８１）に接続されるとともに前記五方弁（８０）の前記第５の接続口（８２）から前記三方弁（９０）の第１の接続口へと接続され、前記三方弁（９０）の第２の接続口（９２）から前記熱交換器（１３）を経由して前記浴槽（１００）の吐出口（１０２）に通じており、
前記三方弁（９０）の第３の接続口（９３）は、前記連絡路（７０）の合流する前記所定箇所（５４）よりも前記吐出口（１０２）側で前記追い焚き流路（５０）から分岐した所定のバイパス管（７４）と接続され、
前記五方弁（８０）の前記第６の接続口（８２）は前記ろ過槽（６０）の順方向出側（６１）と接続され、
前記五方弁（８０）の前記第７の接続口には、所定の排水管（７５）が接続され、
前記五方弁（８０）の前記第８の接続口（８５）は前記ろ過槽（６０）の順方向入側（６２）と接続され、
前記循環ポンプ（７２）は、前記吸入口（１０１）と前記五方弁（８０）の前記第４の接続口（８１）との間に配置され、
前記弁制御手段（４１）は、前記給湯流路（３０）を通じて加熱した湯を前記浴槽（１００）へ注湯する際に前記切替弁（７１）を開くとともに前記三方弁（９０）を前記第１第２連通状態に設定しかつ前記五方弁（８０）を前記閉鎖状態に設定することを特徴とするろ過機能付き一缶多水路型給湯機。
【００１１】
［５］前記弁制御手段（４１）は、前記循環ポンプ（７２）を駆動して前記浴槽（１００）内の水をろ過する通常ろ過運転を行う際に、前記切替弁（７１）を閉じるとともに前記三方弁（９０）を前記第１第３連通状態に設定しかつ前記五方弁（８０）を前記第４の接続口（８１）と前記第８の接続口（８５）とが連通し前記第６の接続口（８２）と前記第５の接続口（８２）とが連通する状態に設定することを特徴とする［３］記載のろ過機能付き一缶多水路型給湯機。
【００１２】
［６］前記弁制御手段（４１）は、前記循環ポンプ（７２）を駆動して前記ろ過槽（６０）内のろ材（６３）を逆流洗浄するろ材逆洗浄運転を行う際に、前記五方弁（８０）を前記第４の接続口（８１）と前記第６の接続口（８２）とが連通し前記第８の接続口（８５）と前記第７の接続口（８４）とが連通する状態に設定することを特徴とする［３］記載のろ過機能付き一缶多水路型給湯機。
【００１３】
［７］前記弁制御手段（４１）は、前記循環ポンプ（７２）を駆動して前記ろ過槽（６０）に前記浴槽（１００）内の水を順方向に流してろ材（６３）を洗浄するろ材洗浄運転を行う際に、前記五方弁（８０）を前記第４の接続口（８１）と前記第８の接続口（８５）とが連通し前記第６の接続口（８２）と前記第７の接続口（８４）とが連通する状態に設定することを特徴とする［３］記載のろ過機能付き一缶多水路型給湯機。
【００１４】
前記本発明は次のように作用する。
連絡路（７０）の途中に設けた第１の切替弁（７１）を浴槽（１００）への注湯の際に開くことで、給湯流路（３０）を通じて加熱された湯は、当該連絡路（７０）を通じて合流箇所（５４）から追い焚き流路（５０）へと流れ込む。また、合流箇所（５４）よりも吸入口（１０１）側に配置した第２の切替弁（９０）を弁制御手段（４１）が注湯時に閉じるので、合流箇所（５４）から追い焚き流路（５０）に流れ込んだ湯は、浴槽（１００）の吸入口（１０１）側へは流れずに吐出口（１０２）側に向かってのみ流れる。
【００１５】
ここで、連絡路（７０）から追い焚き流路（５０）への合流箇所（５４）が、追い焚き流路（５０）のうち熱交換器（１３）の出側に存するので、合流箇所（５４）から追い焚き流路（５０）に流れ込んだ全ての湯は再び熱交換器（１３）を経由することなく吐出口（１０２）から浴槽（１００）へ流れ込む。また、ろ過槽（６０）を合流箇所（５４）よりも吸入口（１０１）側に配置しているので、浴槽（１００）へ注湯する湯がろ過槽（６０）に逆流することが防止される。なお、循環ポンプ（７２）によって吸入口（１０１）から吐出口（１０２）に向けて流す水が当該ろ過槽（６０）を順方向に通過するようにろ過槽（６０）を配置しているので、循環ポンプ（７２）を駆動して追い焚き等を行う際に、浴槽（１００）内の湯がろ過槽（６０）を順方向に通過し、これを浄化することができる。
【００１６】
このように、給湯流路（３０）からの湯を熱交換器（１３）の出側の所定箇所（５４）で追い焚き流路（５０）に合流させ、第２の切替弁（９０）およびろ過槽（６０）を追い焚き流路（５０）の途中であって合流箇所（５４）よりも浴槽（１００）の吸入口（１０１）側に配置したので、注湯の際に第２の切替弁（９０）を閉じることで、再度熱交換器（１３）経由と、ろ過槽（６０）の逆流とを防止しつつ、給湯流路（３０）からの湯を浴槽（１００）に注ぐことができる。
【００１７】
なお、ろ過槽（６０）を、第２の切替弁（９０）よりもさらに吸入口（１０１）側に配置するようにしてもよい。また、第２の切替弁（９０）およびろ過槽（６０）を追い焚き流路（５０）の途中であって熱交換器（１３）の入側と吸入口（１０１）との間に配置するようにしてもよい。
【００１８】
三方弁（９０）と、五方弁（８０）とを備えたものでは、追い焚き流路（５０）を次のように配管する。すなわち、浴槽（１００）内の吸入口（１０１）から循環ポンプ（７２）を介して五方弁（８０）の第４の接続口（８１）に入り、五方弁（８０）の第５の接続口（８２）から三方弁（９０）の第１の接続口に入り、三方弁（９０）の第２の接続口（９２）から熱交換器（１３）を経由して浴槽（１００）の吐出口（１０２）に通じるように追い焚き流路（５０）を配管する。そして、注湯の際に、三方弁（９０）を第１接続口と第２の接続口（９２）とが連通する状態に設定し、かつ五方弁（８０）を閉鎖状態に設定する。これにより、合流箇所（５４）から追い焚き流路（５０）に流れ込んだ湯は、浴槽（１００）の吸入口（１０１）側へは流れずに吐出口（１０２）側にだけ流れる。
【００１９】
ここで、連絡路（７０）から追い焚き流路（５０）への合流箇所（５４）が、追い焚き流路（５０）のうち熱交換器（１３）の出側に存するので、合流箇所（５４）から追い焚き流路（５０）に流れ込んだ全ての湯は再び熱交換器（１３）を経由することなく吐出口（１０２）から浴槽（１００）へ流れ込む。また、ろ過槽（６０）はその出入口がともに五方弁（８０）に接続されているので、注湯の際に五方弁（８０）を閉鎖することで、浴槽（１００）へ注湯する湯がろ過槽（６０）を逆流することが防止される。
【００２０】
また循環ポンプ（７２）を駆動して浴槽（１００）内の水をろ過する通常ろ過運転を行う際に、連絡路（７０）の途中に設けた切替弁（７１）を閉じるとともに、三方弁（９０）を第１の接続口と第３の接続口（９３）とが連通する状態に設定する。さらに五方弁（８０）を第４の接続口（８１）と第８の接続口（８５）とが連通し、第６の接続口（８２）と第５の接続口（８２）とが連通する状態に設定する。
【００２１】
これにより、吸入口（１０１）から取り入れ、循環ポンプ（７２）によって五方弁（８０）の第４の接続口（８１）に送り込まれた水は、第８の接続口（８５）からろ過槽（６０）を順方向に通って五方弁（８０）の第６の接続口（８２）に入り、第５の接続口（８２）から三方弁（９０）の第１の接続口に入る。そして三方弁（９０）の第３の接続口（９３）から出て、合流箇所（５４）よりも吐出口（１０２）側で追い焚き流路（５０）に流れ込む。
【００２２】
ここで、三方弁（９０）の第２の接続口（９２）が閉鎖状態になっているので、三方弁（９０）を経由して追い焚き流路（５０）に合流した水は、浴槽（１００）の吐出口（１０２）側にのみ流れる。これにより、通常ろ過運転では、熱交換器（１３）を経由させずに浴槽（１００）内の湯をろ過し浄化することができる。
【００２３】
循環ポンプ（７２）を駆動してろ過槽（６０）内のろ材（６３）を逆流洗浄するろ材逆洗浄運転を行う際には、五方弁（８０）を第４の接続口（８１）と第６の接続口（８２）とが連通し第８の接続口（８５）と第７の接続口（８４）とが連通する状態に設定する。
【００２４】
これにより、吸入口（１０１）から循環ポンプ（７２）によって五方弁（８０）の第４の接続口（８１）に送り込まれた水は、第６の接続口（８２）からろ過槽（６０）を逆方向に通って五方弁（８０）の第８の接続口（８５）に入り、第７の接続口（８４）から出る。第７の接続口（８４）には所定の排水管（７５）が接続されているので、ろ過槽（６０）を逆流洗浄して汚れた水は、排水管（７５）を通じて排水される。
【００２５】
さらに、循環ポンプ（７２）を駆動し、浴槽（１００）内の水を順方向にろ過槽（６０）へ流してろ材（６３）を洗浄するろ材洗浄運転を行う際には、五方弁（８０）を第４の接続口（８１）と第８の接続口（８５）とが連通しかつ第６の接続口（８２）と第７の接続口（８４）とが連通する状態に設定する。
【００２６】
これにより、吸入口（１０１）から循環ポンプ（７２）によって五方弁（８０）の第４の接続口（８１）に送り込まれた水は、第８の接続口（８５）からろ過槽（６０）を順方向に通って五方弁（８０）の第６の接続口（８２）に入り、第７の接続口（８４）から出て排水される。
【００２７】
【発明の実施の形態】
以下、図面に基づき本発明の一実施の形態を説明する。
各図は、本発明の一実施の形態を示している。
図１に示すように、本実施の形態にかかるろ過機能付き一缶多水路型給湯機１０は、燃焼室１１を備えており、当該燃焼室１１の下部には、バーナー１２が、燃焼室１１の上部には、バーナー１２からの熱を給水等に伝える熱交換器１３がそれぞれ配置されている。熱交換器１３には、給水を加熱するための給湯流路３０と、浴槽１００の湯を循環させる追い焚き流路５０の双方が通っている。
【００２８】
熱交換器１３には、燃焼ガスの供給路であるガス供給管１４が接続されており、ガス供給管１４の途中には、燃焼ガスの供給量を調整や燃焼面の切り替え等を行うためのガス電磁弁１５、元電磁弁１６、ガス切替弁１７、ガス比例弁１８が配置されている。燃焼室１１への給排気は、燃焼ファン２０によって燃焼室１１の下方側から給気を送風することによって強制的に行われ、排気は燃焼室１１の上部から排出されるようになっている。
【００２９】
給湯流路３０は、熱交換器１３のフィンプレートから受熱する配管部分である給湯系受熱管３１と、一端が給湯系受熱管３１の入側に接続され、他端側が給水の供給元に通じる給水管３２と、給湯系受熱管３１の出側から延びる給湯管３３とから構成されている。給水管３２の途中には、流入する給水の温度（入水温度）を検知するための入水サーミスタ３４と、通水量を検知するための水量センサー３５が設けられている。また給湯系受熱管３１の出口部近傍には、給湯系受熱管３１で加熱された後の水温を検知する熱交サーミスタ３６が配置されている。
【００３０】
給湯管３３の途中には、給湯流路３０を通じて出湯される湯量を調整するための水量制御弁３７が、さらにその下流側には、給湯確認用の水量センサ３８がそれぞれ取り付けられている。
【００３１】
追い焚き流路５０は、熱交換器１３のフィンプレートから受熱する配管部分である追い焚き系受熱管５１と、追い焚き系受熱管５１の入側と浴槽１００に設けた吸入口１０１との間を接続する追い焚き戻り管５２と、追い焚き系受熱管５１の出側と浴槽１００に設けた吐出口１０２との間を接続する追い焚き往き管５３とから構成されている。追い焚き往き管５３の所定箇所（合流箇所）５４には、水量制御弁３７と水量センサ３８の間で給湯管３３から分岐した連絡管７０が合流している。
【００３２】
連絡管７０の途中には、当該連絡管７０を閉鎖するか開通させるかを切り替えるための注湯切替弁７１が設けてある。連絡管７０を開くことで、給湯系受熱管３１で加熱された湯が連絡管７０を通じて合流箇所５４から追い焚き流路５０内へ流れ込むようになっている。追い焚き往き管５３のうち合流箇所５４よりも下流側（吐出口１０２寄り）の所定箇所には、追い焚き往き管５３内を水が流れているか否かを検出するための流水スイッチ５５が取り付けてある。
【００３３】
追い焚き戻り管５２の途中には、循環ポンプ７２と、電動五方弁８０と、電動三方弁９０と、流水スイッチ７３とが吸入口１０１から追い焚き往き管５３に向けて上述の順に配置されている。電動三方弁９０は、第１から第３の接続口９１〜９３を有している。また電動五方弁８０は、第４から第８の接続口８１〜８５を備えている。
【００３４】
追い焚き戻り管５２は、浴槽１００内の吸入口１０１から循環ポンプ７２を介して電動五方弁８０の第４の接続口８１に接続されるとともに電動五方弁８０の第５の接続口８２から電動三方弁９０の第１の接続口９１へと接続されている。さらに追い焚き戻り管５２は、電動三方弁９０の第２の接続口９２から流水スイッチ７３を介して追い焚き系受熱管５１の入側へと通じている。
【００３５】
電動三方弁９０の第３の接続口９３には、合流箇所５４よりも吐出口１０２側（下流側）の箇所で追い焚き往き管５３から分岐したバイパス管７４が接続されている。電動五方弁８０の有する第６の接続口８３はろ過槽６０の順方向出側６１と接続され、電動五方弁８０の第７の接続口８４は、排水管７５が接続されている。電動五方弁８０の第８の接続口８５は、紫外線殺菌灯７６を介してろ過槽６０の順方向入側６２と接続されている。
【００３６】
ろ過槽６０の内部には、ろ材６３が格納されている。ろ過槽６０の順方向入側６２から流入した水は、ろ材６３を通過する際にゴミ等が除去され浄化された後、順方向出側６１から排出される。
【００３７】
電動三方弁９０は、第１の接続口９１と第２の接続口９２とが連通される第１第２連通状態と、第１の接続口９１と第３の接続口９３とが連通される第１第３連通状態とに電動で切り替え可能になっている。また電動五方弁８０は、第４の接続口８１を第５の接続口８２から第８の接続口８５のうちのいずれかと連通させるとともに第４の接続口８１と連通していない残る３つの接続口のうちのいずれか２つ接続口同士の間を連通される連通状態と、いずれの接続口８１〜８５同士も連通させずに各接続口８１〜８５を閉鎖する閉鎖状態とに電動で切り替え可能なものである。
【００３８】
循環ポンプ７２は、追い焚き等の際に吸入口１０１から取り入れた浴槽１００内の水を電動五方弁８０の第４の接続口８１に向けて送り込むように動作するものである。
【００３９】
ろ過機能付き一缶多水路型給湯機１０は、給湯動作、注湯動作、追い焚き動作、ろ過動作など各種の動作を制御するための制御部４０を備えている。制御部４０は、注湯切替弁７１、電動五方弁８０、電動三方弁９０の各弁の動作を制御する弁制御手段４１を備えている。制御部４０には、注湯切替弁７１、電動五方弁８０、電動三方弁９０、循環ポンプ７２のほかガス電磁弁１５、元電磁弁１６、入水サーミスタ３４、水量センサー３５、流水スイッチ７３等の各種の制御部品やセンサ類が簡略図示した配線４２によって電気的に接続されている。また制御部４０には、出湯温度の設定や、風呂の追い焚き指示等を受け付けるための図示しないリモコンが接続されている。このリモコンは浴室等に設置されるものである。
【００４０】
次に作用を説明する。
まず、給湯流路３０側で加熱した湯を連絡管７０および追い焚き流路５０を通じて浴槽１００に注湯する際の動作について説明する。注湯動作を行うときには、弁制御手段４１は、注湯切替弁７１を開くとともに、電動三方弁９０を第１第２連通状態に設定し、電動五方弁８０を閉鎖状態に設定する。注湯切替弁７１を開くことで、連絡管７０を通じて給湯流路３０側から追い焚き往き管５３の合流箇所５４に湯が流れ込む。
【００４１】
合流箇所５４から追い焚き往き管５３に流れ込んだ湯は、電動五方弁８０が閉鎖状態になっているので、吸入口１０１側へは流れずに、合流箇所５４から吐出口１０２側に向かってだけ流れて浴槽１００へ注湯される。この際、合流箇所５４が追い焚き流路５０のうち熱交換器１３の出側に位置しているので、合流箇所５４から追い焚き往き管５３に流れ込んだ全ての湯は熱交換器１３を再度経由することなく吐出口１０２から浴槽１００へと流れ込むことになる。
【００４２】
また、電動五方弁８０が閉鎖状態にあるので、電動五方弁８０の第６の接続口８３と第８の接続口８５にその順方向出側６１および順方向入側６２の接続されたろ過槽６０は、追い焚き戻り管５２から切り離された状態になる。したがって、注湯動作の際に電動五方弁８０を閉鎖することで、浴槽１００へ注湯する湯がろ過槽６０を逆流することがない。
【００４３】
このように、注湯動作の際に、熱交換器１３を再度経由させることなく湯を浴槽１００に流し込むことができるので、熱交換器１３での再加熱を考慮して給湯流路２０側での出湯温度を注湯の設定温度よりも下げる必要がなくなる。たとえば、注湯設定温度を４０℃にする場合には、給湯流路３０の出側温度を３０℃等に下げる必要がなく、略４０℃になっていれば良いことになる。これにより、燃焼排ガス中の水分が結露し難くなり、結露した水がバーナー１２の上に滴下して、燃焼状態の悪化や失火を招いたり、各部の腐食が進むといった事態を防止することができる。
【００４４】
次に、循環ポンプ７２を駆動して浴槽１００内の水をろ過槽６０によってろ過する通常ろ過運転について説明する。図２は、通常ろ過運転の際における各弁の状態と水の流れとを示している。弁制御手段４１は、通常ろ過運転を行う際に、連絡管７０の途中に設けた注湯切替弁７１を閉じるとともに電動三方弁９０を第１の接続口９１と第３の接続口９３とが連通する第１第３連通状態に設定する。また電動五方弁８０を第４の接続口８１と第８の接続口８５とが連通しかつ第６の接続口８３と第５の接続口８２が連通する状態に設定する。
【００４５】
これにより、吸入口１０１から循環ポンプ７２によって電動五方弁８０の第４の接続口８１に送り込まれた水は、電動五方弁８０の第８の接続口８５からろ過槽６０を順方向に通って電動五方弁８０の第６の接続口８３に入る。その後、電動五方弁８０の第５の接続口８２から電動三方弁９０の第１の接続口９１に入り、第３の接続口９３からバイパス管７４を通じ、合流箇所５４よりも吐出口１０２寄りの所定箇所で追い焚き往き管５３に流れ込む。ここで、電動三方弁９０の第２の接続口９２が閉鎖状態になっているので、バイパス管７４を通じて追い焚き往き管５３に流れ込んだ水は、吸入口１０１側へは流れずに、吐出口１０２側にのみ流れて浴槽１００に戻される。
【００４６】
次に、循環ポンプ７２を駆動して浴槽１００内のろ材６３を逆流洗浄する、ろ材逆浄運転について説明する。図３は、ろ材逆洗浄運転の際における各弁の状態と水の流れとを示している。弁制御手段４１は、ろ材逆洗浄運転を行う際には、電動五方弁８０を第４の接続口８１と第６の接続口８３とが連通しかつ第８の接続口８５と第７の接続口８４とが連通する状態に設定する。
【００４７】
これにより、吸入口１０１から循環ポンプ７２によって電動五方弁８０の第４の接続口８１に送り込まれた水は、第６の接続口８３からろ過槽６０を逆方向に通って電動五方弁８０の第８の接続口８５に入り、第７の接続口８４から排水管７５を通じて排出される。したがって、浴槽１００内の水を排水しながら、ろ過槽６０を逆流洗浄し、洗浄後の汚れた水を、排水管７５を通じて排水することができる。
【００４８】
図４は、循環ポンプ７２を駆動してろ過槽６０に浴槽１００内の水を順方向に流して内部のろ材６３を洗浄する、ろ材洗浄運転を行う際の各弁の状態と水の流れとを示している。弁制御手段４１は、電動五方弁８０を、第４の接続口８１と第８の接続口８５とが連通しかつ第５の接続口８２と第６の接続口８３とが連通する状態に設定する。
【００４９】
これにより、吸入口１０１から循環ポンプ７２によって電動五方弁８０の第４の接続口８１に送り込まれた水は、第８の接続口８５からろ過槽６０を順方向に通って電動五方弁８０の第６の接続口８３に入り、第７の接続口８４から出て排水管７５を通じて排水される。
【００５０】
なお、弁制御手段４１は、注湯動作を行うとき以外は、常に注湯切替弁７１を閉じている。またろ材逆洗浄運転およびろ材洗浄を行うときは、吸入口１０１からの水が電動五方弁８０およびろ過槽６０を通じて排出されるので、電動三方弁９０側に流れ込まない。したがって、これらの場合には、電動三方弁９０の連通状態を特に設定する必要はない。
【００５１】
以上説明した実施の形態では、ろ材の逆流洗浄等を考慮して電動五方弁８０および電動三方弁９０を図示した位置に配置するようにしたが、熱交換器１３による再加熱と、ろ過槽６０の逆流とを注湯時に防止するという機能を果たすためには、これらを必ずしも図１に示すように設ける必要はない。すなわち、合流箇所５４よりも吸入口１０１側の箇所に追い焚き流路５０を注湯動作時に閉鎖するための何らかの弁を設け、ろ過槽６０を合流箇所５４よりも吸入口１０１側であって追い焚き動作時に順方向に水が流れる向きに配置するようにすれば足りる。
【００５２】
また、実施の形態では、ろ過槽６０よりも電動五方弁８０を合流箇所５４寄りに設けるようにしたが、注湯時に追い焚き流路５０を閉鎖するための弁（実施の形態では五方弁８０）よりも吸入口１０１側にろ過槽６０を配置しなくても良い。つまり、弁によって追い焚き流路が閉鎖されれば、合流箇所５４よりも吸入口１０１側で水が流れ無いので、この弁よりも合流箇所５４寄りにろ過槽６０があっても、逆流が生じることはない。
【００５３】
さらに、実施の形態では、電動五方弁８０によって熱交換器１３の入側よりも吸入口１０１側で追い焚き流路５０を注湯動作時に閉鎖するようにしたが、追い焚き流路５０を閉鎖するための弁は、合流箇所５４よりも吸入口１０１側であればどの位置に設けてもよく、熱交換器１３の出側に配置しても吸入口１０１側への流れを阻止することができる。
【００５４】
なお、実施の形態では、給湯流路３０側で加熱した湯を連絡管７０および追い焚き流路５０を通じて浴槽１００に注湯する際に図１に示すように電動五方弁８０を閉鎖状態に設定したが、電動五方弁８０を図２に示す位置に設定し、当該電動五方弁８０と電動三方弁９０との間に、電動三方弁９０側から電動五方弁８０側へ向かう流れを阻止する逆止弁を設けるようにしてもよい。
【００５５】
また実施の形態では一缶二水路型の給湯と追い焚きの例を示したが、これに限定されず、暖房経路をさらに加え、給湯と追い焚きと暖房の各流路を共通の熱交換器で加熱する一缶多水路型給湯機でも本願は有効である。なお、バーナーへ供給する燃料はガス以外に石油等であってもかまわない。また、石油等ではガンタイプバーナーのようなバーナーレスタイプなどでもよい。
【００５６】
【発明の効果】
本発明にかかるろ過機能付き一缶多水路型給湯機によれば、給湯流路からの湯を熱交換器の出側の合流箇所で追い焚き流路に合流させ、追い焚き流路を閉鎖するための切替弁およびろ過槽を追い焚き流路の途中であって合流箇所よりも浴槽の吸入口側に配置したので、注湯の際に先の切替弁を閉じることで、ろ過槽の逆流を防止しかつ熱交換器を再度経由させることなく給湯流路からの湯を浴槽に注ぐことができる。これにより、熱交換器での再加熱を考慮して給湯側での出湯温度を注湯の設定温度よりも下げる必要がなくなって燃焼排ガス中の水分が結露し難くなり、バーナーの上に結露した水が滴下して、燃焼状態の悪化や失火を招いたり、各部の腐食が進むといった事態を防止することができる。
【図面の簡単な説明】
【図１】本発明の一実施の形態に係るろ過機能付き一缶多水路型給湯機の構成を示す説明図である。
【図２】本発明の一実施の形態に係るろ過機能付き一缶多水路型給湯機が通常ろ過運転を行う際における各弁の状態と水の流れとを示す説明図である。
【図３】本発明の一実施の形態に係るろ過機能付き一缶多水路型給湯機がろ材逆洗浄運転を行う際における各弁の状態と水の流れとを示す説明図である。
【図４】本発明の一実施の形態に係るろ過機能付き一缶多水路型給湯機がろ材洗浄運転を行う際における各弁の状態と水の流れとを示す説明図である。
【図５】従来から使用されている一缶二水路型給湯機の構成を示す説明図である。
【図６】図５に示した従来の一缶二水路型給湯機にろ過槽を付加した際の構成を示す説明図である。
【符号の説明】
１０…ろ過機能付き一缶多水路型給湯機
１２…バーナー
１３…熱交換器
３０…給湯流路
３１…給湯系受熱管
３２…給水管
３３…給湯管
４０…制御部
４１…弁制御手段
５０…追い焚き流路
５１…追い焚き系受熱管
５２…追い焚き戻り管
５３…追い焚き往き管
５４…合流箇所
６０…ろ過槽
６１…順方向出側
６２…順方向入側
６３…ろ材
７０…連絡管
７１…注湯切替弁
７２…循環ポンプ
７４…バイパス管
７５…排水管
７６…紫外線殺菌灯
８０…電動五方弁
８１…第４の接続口
８２…第５の接続口
８３…第６の接続口
８４…第７の接続口
８５…第８の接続口
９０…電動三方弁
９１…第１の接続口
９２…第２の接続口
９３…第３の接続口
１００…浴槽
１０１…吸入口
１０２…吐出口
【図１】
0003969611.tif 000002
【図２】
0003969611.tif 000003
【図３】
0003969611.tif 000004
【図４】
0003969611.tif 000005
【図５】
0003969611.tif 000006
【図６】
0003969611.tif 000007